(57)【特許請求の範囲】
【請求項１】
ホワイトボード等の筆記板や適宜文書などを掲示するピンナップボードのようなボードであってボード本体と係止具で構成されたボードにおいて、ボード本体は、その外周辺に断面が略凸状をなす係止用溝を、前記外周辺の少なくとも一辺上で溝の始端部又は始終端部を外部に開放して形成し、係止具は、前記ボード本体の係止用溝に挿入される断面略凸状をなす係止部を、ベース部材の下端及び該下端の上方の前面、又は、前記ベース部材の下端及び該下端の上方の前後両面に設けると共に、当該ベース部材の上方に、前記の前面係止部又は前後両面の係止部に略平行な吸着面を有する磁石を設けたことを特徴とする筆記板等のボード。
【請求項２】
係止用溝は、ボード本体の外周に取付けた外周枠に設けた請求項１の筆記板等のボード。
【請求項３】
係止用溝は、ボード本体又は外周枠の上辺又は上下辺、若しくは、左辺又は左右辺、或は、四周の辺に設けた請求項１又は２の筆記板等のボード。
【請求項４】
ベース部材には、磁石の吸着面と平行な面に滑り止めを設けた請求項１〜３のいずれかの筆記板等のボード。
【請求項５】
磁石は、その設置部において磁石の吸着面に直交する方向に僅かに進退遊動するように設けた請求項４の筆記板等のボード。
【請求項６】
磁石は、その吸着面のほぼ中央にピンなどの係止杆に遊嵌するための穴を設けた請求項４又は５の筆記板等のボード。
【発明の詳細な説明】
【０００１】
【発明の属する技術分野】
本発明は、ホワイトボートのような筆記板や適宜の文書などを掲示するピンナップなどのボードでキャビネットなどの家具の前面に係止状態で吊下するための係止具を具備するボードに関するものである。
【０００２】
【従来の技術】
従来、ホワイトボードなどの各種ボードは、例えば、ボードの上辺の両端や四隅に係止孔を設け、該係止孔に対応するピンなどによる係止杆を設けた左右の支柱を具備する支持部材に、当該ボードの左右の係止孔を前記係止杆に係止することにより、略垂直姿勢の吊下した状態で使用するようにしたものが多いが、これでは前記のような専用の支持部材がない場所では使用できず、不便な面が多かった。
【０００３】
この点は、上記のホワイトボードに限られず、一般の、例えば適宜文書などを掲示するピンナップボードやその他のボードにおいても、同じである。
【０００４】
【発明が解決しようとする課題】
本発明は、上述のような各種ボードの使用状態の現状に事情に鑑み、ボード本体に着脱自在の係止具を取付けることにより、そのボード本体を、ボード用の係止杆を有しないスチール家具の前面に取付けたり、家具の天板に引掛け支持させて使用できるようにした係止具を具備するボードを提供することを、その課題とするものである。
【０００５】
【課題を解決するための手段】
上記課題を解決することを目的としてなされた本発明の構成は、ホワイトボード等の筆記板や適宜文書などを掲示するピンナップボードのようなボードであってボード本体と係止具で構成されたボードにおいて、ボード本体は、その外周辺に断面が略凸状をなす係止用溝を、前記外周辺の少なくとも一辺上で溝の始端部又は始終端部を外部に開放して形成し、係止具は、前記ボード本体の係止用溝に挿入される断面略凸状をなす係止部を、ベース部材の下端及び該下端の上方の前面、又は、前記ベース部材の下端及び該下端の上方の前後両面に設けると共に、当該ベース部材の上方に、前記の前面係止部又は前後両面の係止部に略平行な吸着面を有する磁石を設けたことを特徴とするものである。
【０００６】
本発明は、上記構成において、係止用溝は、ボード本体の外周に直接形成したもの、或は、ボード本体の外周に取付けた外周枠に設けたもののいずれであってもよく、また、係止用溝は、ボード本体又は外周枠の上辺又は上下辺、若しくは、左辺又は左右辺、或は、四周の辺に設けた構成を選択することができる。また、本発明は、上記構成において、ベース部材には、磁石の吸着面と平行な面に滑り止めを取付けることがあり、更に、磁石は、その設置部において磁石の吸着面に直交する方向に僅かに進退遊動するように設けてよく、或は、磁石の吸着面のほぼ中央にピンなどの係止杆に遊嵌するための穴を設ける構成とすることもある。
【０００７】
上記係止具のベース部材に磁石や磁石と滑り止めを取付けることにより、ボードを垂直姿勢においてボード用の係止杆を有しないスチール家具に取付けることが可能となり、また、磁石をベース部材の両面に取付けたものでは、ボードを裏返してそのまま前記スチール家具に取付けることが可能となるので、ボードの表裏を使い分ける上で便利である。更に、磁石は、その取付部において進退遊動自在に設けることにより、スチール家具の取付面に在る若干の凹凸に柔軟に対応して取付けることができる。
【０００８】
一方、本発明におけるベース部材の前面又は前後両面に設けた断面略凸状をなす係止部を、ボードの外周に形成したベース部材の係止部を、外部に開放された溝の始端又は終端から挿入できる断面略凸状の係止用溝に挿入して係止させることにより、当該ベース部材がボードの上辺において水平状態に装着されることになるので、家具の天板などに引掛けて当該ボードを吊下状態で使用することが可能となる。
【０００９】
【発明の実施の形態】
次に、本発明の実施の形態例を図により説明する。図１は本発明におけるボードの一例の正面図、図２は図１のボードＸ部の拡大正面図、図３は図２の平面図、図４は図２のＹ−Ｙ断面図、図５は本発明における係止具の一例をボードに装着した状態の要部の拡大正面図、図６は図５の縦断側面図、図７は本発明における係止具を水平姿勢でボードに装着した状態の要部を拡大した側断面図、図８は本発明における係止具の別例の分解状態の斜視図である。
【００１０】
図１〜図４において、１はホワイトボード等のボード本体、２はその各周側辺に取付けた外周枠で、各辺の枠２には、図４に示すように断面が略凸状をなす係止用溝３が形成されていると共に、各辺の溝３は、その始，終端部が図３に例示するように外部に向けて開放されており、後述する本発明における係止具Ｂの係止部５又は６或は6′が前記溝３の開放部位からその溝３に挿入，離脱できるように形成されている。なお、Ｈは、前記ボード本体１の四隅に形成した係止用の穴で、図示しない柱状をなす左右の支持部材に係止杆の一例として設けたピンにこのボードを係止するためのものであり、以上により本発明ボードＡの一例を構成する。
【００１１】
図５，図６において、４は本発明における係止具Ｂの一例を構成するベース部材で、ここでは上部が半円形状の輪郭を有する縦長の略長方形状をなす表裏で対称な２つの部材40，41を合着して形成してあり、そのベース部材４の下部に上記ボード本体１の外周枠２に形成された断面略凸状の係止用溝３に、その溝３の端部の開放部から横向きに遊挿して係合される断面略凸状の第一係止部５を当該ベース部材４と一体の部材により形成すると共に、該係止部５の上方に位置する表裏両面に前記ボードＡの上辺の係止用溝３に、その端部の開放部から遊挿して係合される第二，第三の係止部６，6′を、ベース部材４の表裏部材40，41に挟持させた駒部材状の形態で設けてある。なお、前記係止部６，6′は、ケース部材４と一体に成形することもある。この点については、図８により説明する。
【００１２】
また、前記ベース部材４における係止部６，6′の上方には、ケース部材４の表裏両面に、ここでは、スポンジ状の弾性材７を介して磁石Ｍ，M′を取付ける一方、ベース部材４における前記磁石Ｍ，M′の下部にはゴム板などによる滑り止め８，8′を取付けてあり、以上により係止具Ｂの一例を構成する。なお、磁石Ｍ，M′を弾性材７を介してベース部材４に取付けたのは、ボードＡを係止具Ｂを用いてスチール家具Ｃに取付けた場合、該スチール家具Ｃの取付表面に多少の凹凸があってもそれに対応させるためであり、一例として弾性のある両面テープを使用するが、他の柔軟な弾性挙動をする部材であってもよい。
【００１３】
上記の図５，図６の例においては、ベース部材４の両面に係止部６，6′及び磁石Ｍ，M′滑り止め８，8′を設ける例について説明したが、本発明ではベース部材４の片面のみにそれら上記の各部材６，Ｍ，８を設けた構成係止具（図７参照）とすることもある。図７において、42はベース部材４の裏面に装着したベース部材４の裏蓋部材である。本発明係止具Ｂは、図８のような形態とすることもでき、ベース部材４に装着する磁石Ｍも図８に示した積層タイプのものを使用することもできる。また、図８に示した係止具Ｂでは、係止部６を、ベース部材４における表側部材40と一体に形成している。なお、図８の積層タイプの磁石Ｍは、各磁石ｍの間に鉄板ｆを挟み、各鉄板ｆのみを表側部材40に形成した窓穴40aから外部に露出させる構成を持っている。図８において、43はケース部材４の裏側部材である。
【００１４】
次に、上述した本発明のボードＡと係止具Ｂの使用例について説明する。
図５，図６は、前述したように、ボードＡを係止具Ｂを用いてスチール家具Ｃに垂直に取付けた状態を示すもので、係止具Ｂをその係止部５においてボードＡの上辺の係止用溝３に、その溝３の端部の開放部から挿入して係合させてボードＡの上辺の左右側、又は、適宜位置に２個又は適宜数取付け、各係止具Ｂの磁石Ｍをスチール家具Ｃの垂直壁面に吸着させれば、ボードＡはスチール家具Ｃに垂直に吊下された状態で取付けられる。
【００１５】
一方、図７は、ボードＡを係止具Ｂを用いてスチール家具Ｃの天板に引掛けて支持させた状態を示すもので、係止具Ｂをその第二の係止部６においてボードＡの上辺の係止用溝３に、その溝３の端部の開放部から挿入して係合させ、ボードＡの上辺の左右側、又は、適宜位置に２個又は適宜数取付けることにより、係止具Ｂのベース部材４がボードＡの面に対して直角に取付けられた状態となるので、前記の各ベース部材４をスチール家具Ｃの天板に引掛けることにより、ボードＡは垂直姿勢でスチール家具Ｃの前面に吊下状態で取付けることができる。このとき、磁石Ｍがスチール家具Ｃの天板に吸着するので、ボードＡは安定した状態を保持できる。また、対象がスチール家具Ｃでなくても、滑り止め８の作用で安定にボードＡをその非スチール製家具の天板に支持させることが出来る。上記の作用効果は、図８の本発明係止具Ｂを用いた場合にも、同様に得ることができる。
【００１６】
【発明の効果】
本発明は上述の通りであって、本発明は、ボード本体の周側辺に断面略凸状の係止用溝であって、その溝の側端に形成した開放部から係止具を挿入，離脱できるように形成しボード本体における所望の辺の係止用溝に係止具を取付けることにより、ボード用の係止杆を有しないスチール家具などの取付対象に、当該家具の前面或は天板上面に、前記ボードを縦向き，横向きのいずれの向きにおいても簡易に支持させて取付けることができる。
【００１７】
また、本発明における係止具は、ボード本体の外周に設けた断面略凸状をなす係止用溝に、その端部の開放部から挿入して保持される断面略凸状をなす係止部を、ベース部材の下端及びその上方の前面、又は、ベース部材の下端及びその上方の前後両面に設けると共に、該ベース部材の上方に、前記の前面係止部又は前後両面係止部に平行な面を有する磁石を設けたから、これを上記ボード本体に垂直な向きで取付ければ、ベース部材の磁石により、本発明ボードを係止杆を有しないスチール家具の垂直壁面に簡易に取付けることができる、一方、上記係止具をボード本体に水平な向きに取付ければ、ボードをスチール家具の天板上面等に引掛けて取付けることができるので、ボードの取付支持部を具備しない家具等であってもボードの取付け設定を簡易に行うことができる。
【００１８】
更に、磁石の吸着面に貫通孔を設けた係止具を用いれば、係止穴をボードの上辺の左右や四隅に設けなくても、前記貫通孔において係止杆に支持させて吊下することが可能になる。
【図面の簡単な説明】
【図１】  本発明におけるボードの一例の正面図。
【図２】  図１のボードＸ部の拡大正面図。
【図３】  図２の平面図。
【図４】  図２のＹ−Ｙ断面図。
【図５】  本発明における係止具の一例をボードに装着した状態の要部の拡大正面図。
【図６】  図５の縦断側面図。
【図７】  本発明における係止具を水平姿勢でボードに装着した状態の要部を拡大した側断面図。
【図８】  本発明における係止具の別例の分解状態の斜視図。
【符号の説明】
Ａ  ボード
１  ボード本体
２  外周枠
３  係止用溝
Ｂ  係止具
４  ベース部材
５、６、6′  係止部
７  弾性材
８  滑り止め
Ｍ  磁石
Ｃ  スチール家具
【図１】
0004033653.tif 000002
【図２】
0004033653.tif 000003
【図３】
0004033653.tif 000004
【図４】
0004033653.tif 000005
【図５】
0004033653.tif 000006
【図６】
0004033653.tif 000007
【図７】
0004033653.tif 000008
【図８】
0004033653.tif 000009